(57)【要約】塗布体が櫛体に十分な固着力で固着して落下衝撃でもずれを防止できかつ十分な塗布量も得られる髪用塗布具を提供する。髪用塗布具は、塗布体の塗布量が０．０９０ｇ/ｍ以上（気孔率８０％以上）かつ塗布部の硬度（ＩＳＯ７６１９Ａ）がＡ７０未満のものである。
2019082944.tif 000002
【特許請求の範囲】
【請求項１】
多孔質体の塗布体と、前記塗布体に併設された複数の櫛体のある櫛部とを有し、櫛部によって毛髪を梳いて容器内の染毛料を前記塗布体から毛髪に塗布する髪用塗布具において、
前記塗布体の塗布量が０．０９０ｇ/ｍ以上（気孔率８０％以上）かつ前記塗布体の硬度（ＩＳＯ７６１９Ａ）がＡ７０未満であることを特徴とする髪用塗布具。
【請求項２】
塗布体をその前方側で櫛体によって保持し、櫛体が塗布体よりも前方に突出することを特徴とする請求項１記載の髪用塗布具。
【請求項３】
櫛体の表面に凹部を設けることを特徴とする請求項２記載の髪用塗布具。
【請求項４】
櫛体の先端の表面積が０．３〜１．０ｍｍ２であることを特徴する請求項３に記載の髪用塗布具。
【請求項５】
塗布体及び櫛部を覆うキャップを有し、前記キャップは容器にネジによって嵌合可能なものであり、前記キャップ及び容器には、前記嵌合状態において互いに乗り越える突起を形成したものであることを特徴とする請求項４に記載の髪用塗布具。
【請求項６】
櫛部内面に空気置換用の溝を形成したことを特徴とする請求項５に記載の髪用塗布具。
【発明の詳細な説明】
【技術分野】
【０００１】
本発明は、染毛剤等の髪用化粧料を塗布する髪用塗布具に関するものであり、容器本体に取り付けられ、髪（人間、その他のペット動物等を含む毛髪）を梳きながら容器に収容した塗布液（染毛剤、整髪剤、育毛剤等）を髪に塗布するための髪用塗布具に関するものである。
【背景技術】
【０００２】
従来、容器に収容した染毛剤などをその容器に取り付けた櫛部の櫛歯間に導入して、この櫛部で髪を梳くことによって髪を染める髪用塗布具が知られている。【０００３】
髪用塗布具について、下記の特許文献１〜特許文献４では、スポンジなどの多孔質体の塗布体と、塗布体に櫛体を併設し、髪の毛を櫛体で梳かしながら塗布液を塗り浸ける構造の髪用塗布具が開示されている。【０００４】
しかしながら、特許文献１〜特許文献４では、下記のように問題点がある。【０００５】
まず、特許文献１記載の頭髪用塗布具は、塗布体の固定方法について、櫛体の中に塗布体を圧入して固着しているが、塗布体に軟質のフェルトを使用したときは、落下衝撃で塗布体が容易にずれてしまう。逆に塗布体を硬くなれば固着力が大きくなるが、代わりに気孔率が低くなり液流通路が狭まることで、十分な塗布量を稼ぐことができなくなる。【０００６】
また、特許文献２、特許文献３の髪用塗布具では、櫛体に橋状部を設けて多孔質塗布体の抜け出しを防止して固定している。しかしながら、この髪用塗布具では、櫛と櫛の間隔が広いため、櫛の先端が皮膚に沈み込みやすく、塗布体が地肌に付着して汚しやすい。地肌の汚れを防止するため櫛体と塗布体間のクリアランスを大きくすると、髪と塗布体の密着力が弱くなり塗布量が低下してしまう問題がある。【０００７】
また、特許文献４の頭髪用塗布具では、塗布体（化粧料浸透部材）とその周りに非浸透部材を一体成型することで、塗布体のずれによる地肌汚染を防止するものとしているが、成型方法が押出成形に限定され、製造方法や形状に自由度がなくなる。また、非浸透部材の一体成型や、一体成型後に研削加工を要するなどコストがかさむことが容易に想定される。
【先行技術文献】
【特許文献】
【０００８】
【特許文献１】特開平１１−１６９２２４号公報
【特許文献２】特開２０１６−０８７０６８号公報
【特許文献３】特開２０１７−１０４４８２号公報
【特許文献４】特開２００７−２６０１３７号公報
【発明の概要】
【発明が解決しようとする課題】
【０００９】
本発明は、斯かる実情に鑑み、塗布体が櫛体に十分な固着力で固着して落下衝撃でもずれを防止できかつ十分な塗布量も得られる髪用塗布具を提供しようとするものである。
【課題を解決するための手段】
【００１０】
本発明は、多孔質体の塗布体と、前記塗布体に併設された複数の櫛体のある櫛部とを有し、櫛部によって毛髪を梳いて容器内の染毛料を前記塗布体から毛髪に塗布する髪用塗布具において、前記塗布体の塗布量が０．０９０ｇ/ｍ以上（気孔率８０％以上）かつ前記塗布体の硬度（ＩＳＯ７６１９Ａ）がＡ７０未満であることを特徴とする髪用塗布具である。
【発明の効果】
【００１１】
本発明の髪用塗布具によれば、塗布体が櫛体に十分な固着力で固着して落下衝撃でもずれを防止できかつ十分な塗布量が得られるという効果を奏し得る。
【図面の簡単な説明】
【００１２】
【図１】本発明の第１実施形態に係る髪用塗布具であってキャップ装着状態の説明図であり、（ａ）が先方側からの斜視図、（ｂ）が先方側からの視図、（ｃ）が一側面からの視図、（ｄ）が（ｂ）のＤ−Ｄ線に沿う縦断面図、（ｅ）が他側面からの視図、（ｆ）が（ｂ）のＦ−Ｆ線に沿う縦断面図、（ｇ）が後方側からの斜視図、（ｈ）が後方側からの視図である。
【図２】図１の髪用塗布具であってキャップを外した状態の説明図であり、（ａ）が先方側からの斜視図、（ｂ）が先方側からの視図、（ｃ）が一側面からの視図、（ｄ）が（ｂ）のＤ−Ｄ線に沿う縦断面図、（ｅ）が他側面からの視図、（ｆ）が（ｂ）のＦ−Ｆ線に沿う縦断面図、（ｇ）が後方側からの斜視図、（ｈ）が先端部を拡大して示す斜視図である。
【図３】図１の髪用塗布具の先軸を示す部品図であり、（ａ）が先方側からの斜視図、（ｂ）が先方側からの視図、（ｃ）が一側面からの視図、（ｄ）が（ｂ）のＤ−Ｄ線に沿う縦断面図、（ｅ）が他側面からの視図、（ｆ）が（ｂ）のＦ−Ｆ線に沿う縦断面図、（ｇ）が後方側からの斜視図、（ｈ）が後方側からの視図、(i)が先端部を拡大して示す斜視図である。
【図４】図１の髪用塗布具における塗布体を示す部品図であり、（ａ）が側方からの斜視図、（ｂ）が一側面（幅広側面）からの視図、（ｃ）が他側面（幅狭側面）からの視図である。
【図５】（ａ）が比較例の先軸における櫛部周辺の拡大斜視図、（ｂ）が変形例１の先軸における櫛部周辺の拡大斜視図である。
【図６】（ａ）が比較例の先軸における櫛部周辺の拡大側面図、（ｂ）が第１実施形態の先軸における櫛部周辺の拡大側面図、（ｃ）が第１実施形態の先軸における櫛部周辺の拡大斜視図である。
【図７】本発明の第２実施形態に係る髪用塗布具であってキャップ装着状態の説明図であり、（ａ）が先方側からの斜視図、（ｂ）が先方側からの視図、（ｃ）が一側面からの視図、（ｄ）が（ｂ）のＤ−Ｄ線に沿う縦断面図、（ｅ）が他側面からの視図、（ｆ）が（ｂ）のＦ−Ｆ線に沿う縦断面図、（ｇ）が後方側からの斜視図、（ｈ）が後方側からの視図である。
【図８】図７の髪用塗布具であってキャップを外した状態の説明図であり、（ａ）が先方側からの斜視図、（ｂ）が先方側からの視図、（ｃ）が一側面からの視図、（ｄ）が（ｂ）のＤ−Ｄ線に沿う縦断面図、（ｅ）が他側面からの視図、（ｆ）が（ｂ）のＦ−Ｆ線に沿う縦断面図、（ｇ）が後方側からの斜視図、（ｈ）が先端部を拡大して示す斜視図である。
【図９】図７の髪用塗布具における先軸を示す部品図であり、（ａ）が先方側からの斜視図、（ｂ）が先方側からの視図、（ｃ）が一側面からの視図、（ｄ）が（ｂ）のＤ−Ｄ線に沿う縦断面図、（ｅ）が他側面からの視図、（ｆ）が（ｂ）のＦ−Ｆ線に沿う縦断面図、（ｇ）が後方側からの斜視図、（ｈ）が後方側からの視図、（ｉ）が先端部を拡大して示す斜視図である。
【図１０】図７の髪用塗布具における塗布体を説明する説明図であり、（ａ）が側方からの斜視図、（ｂ）が一側面（幅広側面）からの視図、（ｃ）が他側面（幅狭側面）からの視図である。
【図１１】本発明の第３実施形態に係る髪用塗布具であってキャップ装着状態の説明図であり、（ａ）が先方側からの斜視図、（ｂ）が先方側からの視図、（ｃ）が一側面からの視図、（ｄ）が（ｂ）のＤ−Ｄ線に沿う縦断面図、（ｅ）が他側面からの視図、（ｆ）が（ｂ）のＦ−Ｆ線に沿う縦断面図、（ｇ）が後方側からの斜視図、（ｈ）が後方側からの視図である。
【図１２】図１１の髪用塗布具であってキャップを外した状態の説明図であり、（ａ）が先方側からの斜視図、（ｂ）が先方側からの視図、（ｃ）が一側面からの視図、（ｄ）が（ｂ）のＤ−Ｄ線に沿う縦断面図、（ｅ）が他側面からの視図、（ｆ）が（ｂ）のＦ−Ｆ線に沿う縦断面図、（ｇ）が後方側からの斜視図、（ｈ）が先端部を拡大して示す斜視図である。
【図１３】図１１の髪用塗布具における先軸を示す部品図であり、（ａ）が先方側からの斜視図、（ｂ）が先方側からの視図、（ｃ）が一側面からの視図、（ｄ）が（ｂ）のＤ−Ｄ線に沿う縦断面図、（ｅ）が他側面からの視図、（ｆ）が（ｂ）のＦ−Ｆ線に沿う縦断面図、（ｇ）が後方側からの斜視図、（ｈ）が後方側からの視図、（ｉ）が先端部を拡大して示す斜視図である。
【図１４】図１１の髪用塗布具におけるキャップを示す部品図であり、（ａ）が（ｂ）のＡ−Ａ線に縦断面図、（ｂ）が後方側からの視図、（ｃ）が後方側から斜視図である。
【発明を実施するための形態】
【００１３】
以下は、本発明の実施形態について添付図面を参照して説明するものである。
【００１４】
〔第１実施形態〕
図１〜図６は、第１実施形態に係る髪用塗布具の説明図である。
【００１５】
図１〜３に示すように、実施形態に係る髪用塗布具は、多孔質体の塗布体１０と、前記塗布体１０に併設された複数の櫛体１２ａのある櫛部１２とを有する。髪用塗布具は、前記櫛部１２によって毛髪を梳いた際に、先軸（「容器」に相当）１４内の染毛料を前記塗布体１０から毛髪に塗布が可能な髪用塗布具である。
【００１６】
詳しくは、前記髪用塗布具は、図１に示すように、キャップ１６が前記塗布体１０を覆う状態に、先軸１４の先端部１４ａに着脱可能に装着されている。キャップ１６は、内キャップ１６ａが先軸１４の先端部１４ａの外周面に密着して、前記塗布体１０が乾燥するのを防ぐものである。
【００１７】
〔先軸１４〕
前記先軸１４は、図２に示すように、概略中空筒状であって先端部１４ａがへら状に平たい外観になり先方に中空からの開口がある。先端部１４ａには、その開口を囲んで櫛部１２が形成されて、その開口から塗布体１０が露出している。また、先軸１４は、後端部に尾栓（蓋）１８が嵌着して、先軸１４内の空間を閉鎖して容器の機能を有するものにする。なお、先軸１４内の閉鎖された空間には、中綿２０が収容されており、中綿２０は染毛料を含侵している。
【００１８】
先軸１４の櫛部１２内には塗布体１０が配置される。前記塗布体１０は後端部が前記中綿２０の先方部に装入されており、中綿２０の染毛料が塗布体１０に染み込むように構成されている。
【００１９】
図１、図２に示すように、前記先軸１４の中央部から後部にかけた後軸２２で覆われている。この後軸２２は後端が閉じた筒状であり、内周に先軸１４に対する周り止めのリブ２２ａが軸方向に沿って形成されている。リブ２２ａは、平行レール等の凸部に形成される。また、先軸１４は、その後部の外面部に軸方向に沿って凹部１４ｉが形成されている（図３参照）。
先軸１４の凹部１４ｉは、周り止めのリブ２２ａに係合して先軸１４が後軸２２に対して周り止めする機能を奏する。
【００２０】
図１、図２に示すように、前記先軸１４は、先端部１４ａの外周に、キャップ１６のネジ止め用の雄ネジ１４ｂが形成される。また、その外周において、雄ネジ１４ｂの後方に隣接してフランジ１４ｃが形成される。さらに、その外周において、フランジ１４ｃの後方に嵌着用のリブ１４ｄが形成されている。
また、後軸２２は、前部の内面に環状の凸部２２ｂを有する。
前記後軸２２は、先端の開口から前記先軸１４の後部が後方向きに嵌着されて、前記フランジ１４ｃに当接するまで押し込まれると、前記リブ１４ｄに後軸２２内部の凸部２２ｂが係合して先軸１４から外れるのを（抜け出しを）防止している。
なお、先軸１４の先端部１４ａ内には、塗布体の段部１０ｃが係止する凸部１４ｅが形成される。
【００２１】
〔塗布体１０〕
前記塗布体１０は多孔質体であってその塗布量が０．０９０ｇ/ｍ以上（気孔率８０％以上）かつ前記塗布体１０の硬度（ＩＳＯ７６１９Ａ）がＡ７０未満である。
【００２２】
具体的には、図４に示すように、塗布体１０は、厚さに対して幅が広い平坦板状である。塗布体１０は、前部（塗布端側）１０ａの幅Ｗ１が後部１０ｂの幅Ｗ２よりも幅広く、概略Ｔの字形状を呈している。
【００２３】
前記塗布体１０は多孔質材料のうちで実施形態ではフェルトを材質としている。前記塗布体１０の寸法は、厚さｔが７〜２（ｍｍ）程度、前部１０ａの幅Ｗ１が後部１０ｂの幅Ｗ２よりも広く（Ｗ１＞Ｗ２）、幅方向側面部に前部１０ａ及び後部１０ｂの境に段部１０ｃが形成されている。幅Ｗ１が１５〜１０（ｍｍ）、幅Ｗ２が１３〜８（ｍｍ）とすることができる。また、前部１０ａの長さが１５〜１０（ｍｍ）、後部１０ｂの長さが１３〜８（ｍｍ）とすることができる。後部１０ｂの後端面が中綿２０に接触するが、平坦にできる。
【００２４】
また、図１に示すように、塗布体１０は、先軸１４に装着状態において、塗布端になる前部１０ａの幅Ｗ１の部分が先端部１４ａ内に装着される。また、後部１０ｂの幅Ｗ２に切り替わる段部１０ｃが先軸１４の先端部１４ａ内に形成された凸部１４ｅに係止する。したがって、この係止によって、塗布体１０が先軸１４内で後方向き中綿２０方向に潜り込むのを防止している。
【００２５】
〔櫛部１２〕
櫛部１２では、図２、図５に示すように、櫛体１２ａが先軸１４の先端部１４ａに前方向きに複数延在して一体成型されている。
【００２６】
先端部１４ａは、矩形の開口を有し、内部に塗布体１０を収容している。先端部１４ａでは、塗布体１０を前方側で櫛部１２によって保持し、櫛体１２ａの先端が塗布体１０の先端よりも前方に突出する構造になっている。
【００２７】
そして、櫛部１２においては、図２、図５に示すように、対向する櫛体１２ａ、１２ａ同士をつなぐように（塗布体１０の先方への）抜け防止用の梁１２ｂが形成されている。また、櫛部１２内の内側で先軸１４（先端部１４ａ）内の凸部１４ｅに段部１０ｃが係止して前記塗布体１０の後方へのずれを防止する。
したがって、従来の先軸内に圧入する塗布体（特許文献１、特許文献４）に比較して柔軟なフェルト等の塗布体１０であっても前記梁１２ｂで先方から位置決めし、かつ、前記凸部１４ｅで後方から塗布体１０を位置決めし、固定するので、塗布体１０がずれることがない。
【００２８】
なお、後述するように、図２、図５（ｂ）のように第１実施形態では、櫛体１２ａの梁１２ｂには、表面に凹部１２ｂ１を設けている。さらに櫛体１２ａの先端の表面積が０．３〜１．０ｍｍ２である。
【００２９】
塗布体１０において、気孔率が高いほうが塗布量が多いが、前記の塗布量が０．０９０ｇ/ｍ以上（気孔率８０％以上）かつ前記塗布体１０の硬度（ＩＳＯ７６１９Ａ）がＡ７０未満であれば硬さが十分であるので、先軸１４の先端部１４ａからの抜け止めができる。
【００３０】
したがって、第１実施形態に係る髪用塗布具によれば、塗布体が櫛体に十分な固着力で固着して落下衝撃でもずれを防止できかつ十分な塗布量も得られる。
【００３１】
ただし、塗布体１０は、上記のように、気孔率を上げると硬さで劣る場合があるので、前記先端部１４ａの櫛体１２ａに梁１２ｂを設けている。図２、図５に詳細に示すように、梁１２ｂが塗布体１０の抜け止めになっている。
【００３２】
〔毛束塗布試験〕
実施形態に係る髪用塗布具において、前記の塗布量が０．０９０ｇ/ｍ以上（気孔率８０％以上）かつ前記塗布体１０の硬度（ＩＳＯ７６１９Ａ）がＡ７０未満の塗布体１０につき評価試験を行った。
【００３３】
評価した塗布体としてのフェルト芯は下表１のとおりである。
【表１】
2019082944.tif 000003
【００３４】
表１において、本発明の実施例１、２に係る塗布体はフェルト芯であり、塗布量は実施例１で０．１１５（ｇ）、実施例２で０．１０４（ｇ）である。
【００３５】
比較例１，２に係る塗布体はフェルト芯であり、塗布量は比較例１で０．０７９（ｇ）、比較例２で０．０６９（ｇ）である。
【００３６】
実施例１、２と比較例１、２の各気孔率は実測値であり、エタノール満充填重量から体積換算したものである。
【００３７】
硬さも実測値であり、ゴム硬度計使用（ＩＳＯ７６１９Ａに準拠）したものである。
【００３８】
実施例１、２と比較例１、２の液塗布量の調査は下記のように、毛束塗布試験による塗布料の測定によるものである。
【００３９】
・塗布対象：ヤギ毛束(１０ｃｍ・１ｇ)×２束
・塗布速度：１０ｃｍ／ｓｅｃ（秒）
・塗布試験準備：チャック袋入りスポンジを壁に貼る。
・塗布試験手順：
（１）毛束２束をスポンジにセットする。
（２）「１０ｃｍ塗布→１ｓｅｃ休憩」×１０ストローク  →  液消費量測定
（３）毛束を裏返して、
（４）「１０ｃｍ塗布→１ｓｅｃ休憩」×１０ストローク  →  液消費量測定
（５）新しい毛束を用意して、（１）に戻る
（１）〜（５）を１０回繰り返して評価した結果が表１に示すものである。
【００４０】
表１に示したように、各塗布量は、実施例１で０．１１５（ｇ）、実施例２で０．１０４（ｇ）であり、これに対して、比較例１で０．０７９（ｇ）、比較例２で０．０６９（ｇ）であった。実施例１，２の塗布具は、比較例１、２の塗布具の１０倍〜１２倍以上の塗布量となり、本発明によって毛髪に対してきわめて十分な（塗布量が一桁以上多い）塗布が可能となることが明白となった。
【００４１】
次に、第１実施形態の髪用塗布具における皮膚汚れ対策について説明する。
【００４２】
図５において（ａ）に比較例を、（ｂ）に変形例１をそれぞれ示す。
【００４３】
先軸１４の櫛部１２において、先端が塗布体よりも先方に位置しており、図５（ａ）に示す比較例のように、前記櫛部１２先端が平坦であると使用時におでこなどの皮膚に付着する可能性がある。
【００４４】
つまり髪に塗布された化粧料（塗布液）が櫛部１２の天面の平面部につき、その点面部が皮膚に触って皮膚に髪用化粧料が付着し転写されて汚れる。
【００４５】
そこで、図５（ｂ）に示す変形例１のように、前記櫛部１２の梁１２ｂの先端面に凹み１２ｂ１を設けて、皮膚と櫛部１２の接触面積を減らすことで液の転写汚れを避けることができる。
【００４６】
また、他の汚れ対策を図６によって説明する。
【００４７】
図６において、（ａ）は比較例を、（ｂ）、（ｃ）に第１実施形態の先軸を示す。
【００４８】
第１実施形態に係る髪用塗布具は、従来品に比べて化粧料が皮膚に付着しやすい。つまり、櫛部１２の櫛体１２ａの数が少なく接触面積が減った分、皮膚にめり込みやすくなり、塗布体１０が皮膚に直に触れやすくなった。
【００４９】
この対策として、図６（ａ）に示す比較例における櫛部１２の櫛体１２ａが２対であるのに対して、図６（ｂ）、（ｃ）に示す第１実施形態の櫛部１２のように、櫛体１２ａの数を５対に増やす構造によって皮膚へのめり込みを抑え、汚れにくくしている。
【００５０】
また、図６（ｃ）に詳細に示すように第１実施形態では、櫛部１２において櫛体の数が５対のうち一つおきの櫛体１２ａに梁１２ｂを設けており、凹部１２ｂ１も形成している。具体的には、第１実施形態において櫛部１２の先端の平面部の面積は０．４ｍｍ２であり、櫛体１２ａ間の隙間が１．３ｍｍであった。
【００５１】
好適な櫛部１２の凹部１２ｂ１の段差寸法は０．５〜０．９ｍｍであった。
【００５２】
〔第２実施形態〕
次に第２実施形態に係る髪用塗布具を説明する。
【００５３】
図７〜図１０は、第２実施形態の髪用塗布具の説明図、図１０は塗布体の説明図である。前記の第１実施形態に係る髪用塗布具が、櫛部１２の櫛体１２ａが先軸１４の軸中心に対して直角方向に配列・形成されていた。これに対して、この第２実施形態に髪用塗布具においては、櫛部１２の櫛体１２ａが先軸１４の軸中心（図８に符号「Ｃ」で示す）に対して角度θの斜め方向に配列・形成されたものである。
【００５４】
前記櫛体１２ａが先軸１４の軸中心に配列・形成されたものに対応して、塗布体１０は、軸中心（図１０に符号「Ｃ」で示す）に対して角度θの斜め方向になる、前部１０ａの先端面形状を呈している。
【００５５】
その他の部分は第１実施形態と同様部分に同様符号を付している。
【００５６】
この第２実施形態によれば、櫛部１２の櫛体１２ａの配列が斜めであるので、前記塗布具の使用に際して、第１実施形態では垂直に当てていたが、斜めに頭髪に当てることができ、生え際などに塗布するのに好適である。その他は第１実施形態と同じである。
【００５７】
〔第３実施形態〕
次に第３実施形態に係る髪用塗布具を説明する。
【００５８】
図１１〜図１２は、第３実施形態の髪用塗布具の説明図、図１３は先軸の説明図、図１４は塗布体の説明図である。図１〜図４に示した第１実施形態と同様部分に同一の符号を付する。この第３実施形態では、塗布体１０と中綿２０が、前記第１実施形態と同様であり、第２実施形態のものも採用できる。第３実施形態は、塗布体１０及び中綿２０以外の構成が第１実施形態、第２実施形態と異なる。
【００５９】
第３実施形態の髪用塗布具は、図１１、図１２に示すように、先軸１４の後端が尾栓１８で塞がれた状態で、中綿２０を収容する容器となる。尾栓１８は後軸２２の後端における内面２２ｃ（底面）に当接する。尾栓１８は、その先部が先軸１４の後端を塞ぐ部分となる。尾栓１８は、その先部よりも拡径した後部が後軸２２の後端を塞ぐ部分となる
【００６０】
また、髪用塗布具は、図１１に示すように、塗布体１０及び櫛部１２を覆うキャップ１６を有する。前記キャップ１６はネジ（雌ネジ）１６ｂにより先軸（尾栓１８と共に容器を形成する）１４のネジ１４ｂに嵌合可能なものである。前記キャップ１６及び先軸１４には、前記嵌合状態において互いに乗り越える突起１６ｃ（図１４参照）、１４ｆを形成したものである。
【００６１】
詳しくは、先軸１４は、図１３に示すように、突起１６ｃ（図示省略）乗り越え用の突起１４ｆを対で有する。突起１４ｆは、フランジ１４ｃの先方面に隣接して径方向外側に突出している。
【００６２】
また、フランジ１４ｃの後方面には、後軸２２に対して先軸１４を周り止めするためのリブ１４ｇが突出して形成されている。突起１４ｆとリブ１４ｇとは、先軸１４の周方向の同一位置に形成されている。リブ１４ｇは、後軸２２との周り止めのため、その内面の凹部２２ｄ係合可能な凸部に形成されている（図１２参照）。リブ１４ｇ及び凹部２２ｄは互いに係合すれば適宜の凹部または凸部に形成できる。
【００６３】
図１３に示すように、先軸１４は、その先端部１４ａの櫛部１２がある。櫛体１２ａは、その内面に、塗布体１０に接する側面に空気置換用の溝１４ｈが形成されている。図１２に示すように、溝１４ｈは塗布体１０の片側面に対向する部分に形成されている。
【００６４】
図１４に示すように、キャップ１６は、外周部を構成する本体の内側に内キャップ１６ａを嵌着して収容している。その先端の内面に放射方向に沿って塗布液を受けるためのリブ１６ｄが形成されている。図１４に示すキャップ１６の突起１６ｃと、先軸１４の突起１４ｆ（図１２、図１３参照）は、いずれも２個が形成されている。しかしながら、突起１６ｃ、１４ｆは１又は３以上の個数が形成されていてもよい。
【００６５】
第３実施形態によれば、キャップ１６及び先軸１４に、突起１６ｃ、１４ｆを形成している。したがって、キャップ１６を先軸１４にネジ嵌合するときに、突起１６ｃが突起１４ｆを乗り越える。乗り越えでクリック感が生じる。
使用者は、キャップ１６を閉める際にこのクリック感によって、キャップ１６と先軸１４とが嵌合した状態を確実に分かる。また、一度乗り越えれば、外す方向に回す際にも突起１６ｃ、１４ｆを乗り越える必要があるので、不用意に外れることを防止できる。
【００６６】
また、櫛部１２の内面に空気置換用の溝１４ｈがあるので、塗布体１０等からスムーズに気液置換が可能になる。塗布体の空気置換を確実にして、塗布時における供給不足を防ぐことができる。
【００６７】
また、尾栓１８は後軸２２の後端における内面２２ｃ（底面）に当接することで、後軸２２内で尾栓１８の脱落を確実に防ぎ、結果として中綿２０の塗布体１０からの脱落を防ぐことができる。
【産業上の利用可能性】
【００６８】
本発明の髪用塗布具は、人の頭髪の他、動物用としても利用することができる。
【符号の説明】
【００６９】
１０  塗布体
１２  櫛部
１２ａ  櫛体
１２ｂ  梁
１２ｂ１  凹部
１４  先軸
１４ａ  先端部
１４ｂ  雄ネジ
１４ｃ  フランジ
１４ｄ  リブ
１４ｅ  凸部
１４ｆ  突起
１４ｈ  溝
１６  キャップ
１６ｂ  ネジ
１６ｃ  突起
２０  中綿
２２  後軸
【図１】
2019082944.tif 000004
【図２】
2019082944.tif 000005
【図３】
2019082944.tif 000006
【図４】
2019082944.tif 000007
【図５】
2019082944.tif 000008
【図６】
2019082944.tif 000009
【図７】
2019082944.tif 000010
【図８】
2019082944.tif 000011
【図９】
2019082944.tif 000012
【図１０】
2019082944.tif 000013
【図１１】
2019082944.tif 000014
【図１２】
2019082944.tif 000015
【図１３】
2019082944.tif 000016
【図１４】
2019082944.tif 000017
【国際調査報告】
2019082944.tif 000018
2019082944.tif 000019
2019082944.tif 000020
2019082944.tif 000021